(57)【特許請求の範囲】
【請求項１】
タービン復水器で回収した復水を浄化する復水浄化装置に非助材型の復水フィルタを用い、該復水フィルタを逆洗した水を貯溜する逆洗水受けタンクを設けてなる原子力発電プラントにおいて、前記逆洗水受けタンクと給復水系の間に接続配管が設けられており、該接続配管の逆洗水受けタンク側開口は、逆洗水受けタンクから逆洗水の上澄み部分を取り出す位置に配置されていることを特徴とする原子力発電プラント。
【請求項２】
タービン復水器で回収した復水を浄化する復水浄化装置に非助材型の復水フィルタを用い、該復水フィルタを逆洗した水を貯溜する逆洗水受けタンクを設けてなる原子力発電プラントにおいて、復水浄化装置の復水フィルタを逆洗した際に得られるＦeクラッドを貯蔵するタンクが２基設けられ、第１のタンクでＦeクラッドを含んだ逆洗水を貯蔵し、第２のタンクは第１のタンクの上澄み液を貯蔵し、第２のタンクのＦeクラッド含有水を復水浄化装置の下流側の給水系統に注入するように構成されていることを特徴とする原子力発電プラント。
【請求項３】
タービン復水器で回収した復水を浄化する復水浄化装置に非助材型の復水フィルタを用い、該復水フィルタを逆洗した水を貯溜する逆洗水受けタンクを設けてなる原子力発電プラントにおいて、復水浄化装置の復水フィルタを逆洗した際に得られるＦeクラッドを貯蔵するタンクが２基設けられ、第１のタンクで起動試験時及び再起動時に運用したフィルタの逆洗水を貯蔵し、通常運転時の純度の高いＦeクラッドを含む逆洗水を第２のタンクに貯蔵し、第２のタンクのＦeクラッド含有水の上澄み部分を復水浄化装置の下流側の給水系統に注入するように構成されていることを特徴とする原子力発電プラント。
【請求項４】
請求項１〜３のいずれかに記載の原子力発電プラントにおいて、タンク内に貯蔵したＦeクラッド含有水のＦeクラッド濃度を測定する装置と、該装置の出力を入力として給復水系に注入するＦeクラッド含有水の量を制御する手段とを設けたことを特徴とする原子力発電プラント。
【請求項５】
請求項１〜４のいずれかに記載の原子力発電プラントにおいて、プラント運転中に、逆洗水受けタンク中の復水Ｆeクラッドを逆洗水受けタンクと給復水系の間に接続した配管を用いて給復水系へと注入し、給水鉄濃度制御を行うことを特徴とする原子力発電プラントの運転方法。
【請求項６】
請求項５に記載の原子力発電プラントを運転する方法において、給復水系に注入したＦeクラッド含有水中のＦeクラッドが燃料被覆管表面上でスピネル型の複合酸化物を形成することを促進する物質をＦeクラッド含有水を貯蔵したタンク内にあらかじめ混入させ、給複水系にＦeクラッド含有水を注入すると同時に注入することを特徴とする原子力発電プラントの運転方法。
【請求項７】
請求項６に記載の原子力発電プラントの運転方法において、スピネル型の複合酸化物形成促進物質として、Ｚn又はＮi又はＡlのいずれか一種類以上をイオン状又はクラッド状で混入させることを特徴とする原子力発電所の運転方法。
【発明の詳細な説明】
【０００１】
【発明の属する技術分野】
本発明は、原子力発電プラントにおいて、炉水放射能濃度を低減するために行われる一次冷却系の水質制御に関する。
【０００２】
【従来の技術】
沸騰水型原子力発電プラントにおいては、一次系の構造材料から冷却材（炉水）中に放出された微量の溶出物質が炉心の燃料棒被覆管表面に付着蓄積して放射化され、放射化された付着物質が再び炉水に溶出することにより炉水放射能濃度が増加する。炉水放射能濃度を低く維持するためには、一旦燃料棒被覆管表面に付着蓄積して放射化された放射性物質を再溶出させないよう燃料棒表面に付着固定化させておくことが有効である。放射化により放射性物質を生成するＮiやＣoはＦeとの複合酸化物ＮiＦe2Ｏ4やＣoＦe2Ｏ4として燃料表面に付着すると、炉水への放射性物質の再溶出速度を著しく低減できることが知られている。Ｎi、Ｃoをこの複合酸化物の形に制御するため、給水中のＦe／Ｎi比を２以上にコントロールする技術が採用されており、その為の水質制御技術として給水Ｆe濃度制御運転が行われている。給水中の鉄成分は、非ろ過助材型フィルタを用いた復水浄化系統において、クラッド及びイオン成分の９０％以上が除去されてしまうため、給水Ｆe濃度制御運転方法として給水中に人工的に生成させた鉄を注入する方法が採用されている。
【０００３】
図２に現在用いられている鉄注入装置を示す。供給水タンク（図示なし）よりＣＯ2ガス注入槽25に入った供給水は、ＣＯ2ガスを吹き込むことにより導電率が高められ、配管26を通り電解槽27へと流れる。電解槽27には鉄板電極が並列に配置されており、電気分解によりＦeイオンを電解溶液中に溶出する。電解槽27の下部からは不活性ガス（Ｎ2、Ａr）が送り込まれ、電極への付着物抑制や酸素ガスのストリッピングを抑制している。電解槽27で生成（電解溶液中に溶出）されたＦeイオン含有水は配管28を通り、酸化用タンク29に入る。酸化用タンク29内のＦeイオン含有水に空気を吹き込むことにより、Ｆeイオンが酸化されてクラッドとなり、これが給水系へ供給される。Ｆeイオンのまま給水系へ注入する際には、酸化用タンク29への空気の供給を止める。
【０００４】
特開昭６２−２７４２９９号公報には、復水濾過フィルタで捕集された酸化鉄を、復水濾過フィルタを逆洗することで逆洗水とともに鉄受けタンクに一旦貯溜し、この酸化鉄を給水系に供給する例が示されている。また、特開昭６３−２２９３９４号公報には、復水濾過フィルタで捕集された酸化鉄を、復水濾過フィルタを逆洗することで逆洗水とともに鉄受けタンクに一旦貯溜し、この鉄受けタンクに貯溜された酸化鉄を含む逆洗水を脱塩装置を通してイオン不純物を取り除いた後、鉄貯蔵タンクに貯溜し、この鉄貯蔵タンクから給水系に酸化鉄を供給するようにした構成が示されている。さらに、特開平５−１２６９９１号公報にも、復水処理用の濾過装置や脱塩装置で捕集されたクラッド鉄を逆洗操作により剥離させ、クラッド鉄を含む逆洗水を一時貯溜したのち、一次冷却系に供給する構成が示されている。
【０００５】
【発明が解決しようとする課題】
現在行われている鉄注入運転方法における課題を以下に示す。
【０００６】
（1）現在用いられている鉄注入装置では、酸化用タンクにおいて空気を吹き込むことによりＦeイオンを酸化し、ＮiやＣoとの複合酸化物を作りやすい状態にするが、急激な酸化のためクラッドの凝集が起こり易く、クラッドの粒径は大きいものとなり易い。その結果、燃料表面に付着するクラッドも粒径の大きなものとなり、燃料表面からの剥離が容易となり、炉水放射能濃度上昇の要因となる可能性がある。
【０００７】
（2）上記のようなクラッドの凝集化が起こる際、十分に酸化されていないＦeイオンがクラッド内に取り込まれる可能性がある。酸化が不十分なクラッドは注入配管の表面に付着・蓄積し易いため、配管閉塞の要因となる可能性がある。
【０００８】
（3）給水クラッド中に十分に酸化されていないＦeイオンが存在すると、燃料表面に付着したクラッド内の形態が溶出し易いものとなり、炉水放射能濃度上昇の要因となる可能性がある。
【０００９】
本発明の目的は、燃料付着クラッドの安定化効果の高い原子力発電プラントとその運転方法を提供することである。
【００１０】
【課題を解決するための手段】
上記の課題を解決するため、本発明では、給水鉄制御のための装置として、従来の鉄注入装置とは異なる新たな装置を開発した。すなわち、非ろ過助材型のフィルタで除去された復水中の鉄クラッド成分を回収し、それを給水系に注入することができる装置を開発し、その運転方法も発案した。
【００１１】
その際、フィルタの逆洗水に混入した状態で回収した鉄クラッド成分のうち、逆洗水の上澄み部分に含まれる鉄クラッド成分を選択的に給水系に注入するように構成した。逆洗水に混入した状態で回収した鉄クラッド成分は、粒径が大小さまざまのものが混った状態で水中に存在しているが、タンク中に導入された段階で粒径の大きいものから沈降し始め、粒径の小さいものはなかなか沈降しない。したがってタンク液面に近い部分、つまり逆洗水の上澄み部分では、粒径の大きいものが沈降して粒径の小さいものが残ることになり、上澄み部分の鉄クラッドは、粒径が小さく、大きさのばらつきも小さい。
【００１２】
したがって、逆洗水の上澄み部分に含まれる鉄クラッド成分を選択的に給水系に注入するように構成することで、粒径が小さく、大きさのばらつきも小さい鉄クラッド成分が給水系に供給され、また、Ｆeイオンが十分に酸化された鉄クラッド成分が給水管から炉内へと送り込まれる。この結果、燃料棒表面上でのスピネル型複合酸化物（ＮiＦe2Ｏ4等）の生成率が高くなり、燃料付着クラッドが化学的に安定な形態にすみやかに変化するので、放射化された付着クラッドからの放射性物質の溶出・剥離が抑制される。また、Ｆeクラッドの粒径が小さく、大きさのばらつきが少ないので、燃料棒に付着する際に均一に付着し、はがれにくい。
【００１３】
また、タンク中の上澄み部分に含まれる鉄クラッド成分の濃度を測定し、測定された濃度に応じて給水系への注入量を制御するのがよい。
【００１４】
また、給復水系に注入したＦeクラッド含有水中のＦeクラッドが燃料被覆管表面上でスピネル型の複合酸化物を形成することを促進する物質をＦeクラッド含有水を貯蔵したタンク内にあらかじめ混入させ、給復水系にＦeクラッド含有水を注入すると同時に注入することが効果的である。スピネル型の複合酸化物形成促進物質としては、Ｚn又はＮi又はＡlのいずれか一種類以上をイオン状又はクラッド状で混入させればよい。
【００１５】
前記特開昭６２−２７４２９９号公報及び特開昭６３−２２３９３４号公報記載の例では、鉄受けタンクあるいは鉄貯蔵タンクに貯溜された逆洗水は循環ポンプで循環されるようになっており、逆洗水に含まれている酸化鉄全体を均等に分散させた状態で給水系に供給するようになっている。したがって、炉内へ送りこまれる酸化鉄は、その大きさが均一でなく、大小ばらついたものとなっている。
【００１６】
また、特開平５−１２６９９１号公報のものでも、逆洗により回収したクラッド鉄の粒径が大きくなること防止することには配慮しているが、粒径の小さい、かつ均一な粒径のクラッド鉄を炉内に供給する配慮はなされていない。
【００１７】
【発明の実施の形態】
〔実施例１〕
本発明に基づいた原子力発電プラントとその運転方法の第１の実施例を図１に示す。図示のプラントは、原子炉1と、原子炉1に主蒸気管で接続された蒸気タービン3と、蒸気タービン3に接続された復水器4と、復水器4の出側に復水配管６で接続された復水ポンプ7と、復水ポンプ7の出側にそれぞれ復水フィルタ入口弁11を介して互いに並列に接続された複数基の復水ろ過装置8と、各復水ろ過装置8の出側に接続された復水フィルタ出口弁10と、復水フィルタ出口弁10の出側に接続され各復水ろ過装置8を通過した復水を１本の流れにまとめるマニホールドパイプ10Aと、マニホールドパイプ10Aにそれぞれ弁30を介して互いに並列に接続された複数基の復水脱塩器9と、復水脱塩器9それぞれの出側を弁31を介して原子炉1に接続する給水管35と、逆洗用空気を貯溜する逆洗用空気供給タンク12と、逆洗用空気供給タンク12と前記復水ろ過装置8の復水出側をそれぞれ逆洗用空気注入弁19を介して接続する逆洗用空気注入管36と、前記復水ろ過装置8の復水入り側にそれぞれ逆洗水出口弁20を介して接続された逆洗水受けタンク13と、逆洗水受けタンク13の底部に接続され弁22を介装したサンプリングライン43と、一端を逆洗水受けタンク13に接続され弁23を介装したＦeクラッド含有水取り出し配管37と、Ｆeクラッド含有水取り出し配管37の他端に接続された給水鉄注入ポンプ17と、給水鉄注入ポンプ17の出側に接続され給水鉄注入ポンプ17で加圧されたＦeクラッド含有水を加熱昇温する熱交換器32と、熱交換器32のＦeクラッド含有水出側を前記給水管35に弁24を介して連通する給水鉄注入ライン18と、を含んで構成されている。Ｆeクラッド含有水取り出し配管37の逆洗水受けタンク13側端部は、逆洗水受けタンク13内の逆洗水の上澄み部分を取り出す位置に開口させてある。
【００１８】
上記構成において、原子炉1で発生した蒸気2は蒸気タービン3で仕事をした後、復水器4において海水循環系5を流れる海水で冷却液化され、復水配管6へと送られる。この時点での復水は配管等の腐食によるイオンやクラッド状の不純物を含んでいるため、復水ポンプ7を介して復水ろ過装置8および復水脱塩器9から成る復水浄化系へと送り込まれて浄化された後に、給水管35を経て再び原子炉1へと送り込まれる。復水浄化系における復水ろ過装置8は内装された復水フィルタの差圧上昇に伴い、復水フィルタ入口弁11、復水フィルタ出口弁10を閉とし、逆洗用空気注入弁19および逆洗水出口弁20を開として、逆洗用空気供給タンク12から空気を送り込んで逆洗を行う。逆洗によって生じた廃液、すなわちＦeクラッド含有水は逆洗水受けタンク13へと送られる。
【００１９】
本実施例の基本的な特徴は、復水フィルタの逆洗水受けタンク13に貯蔵したＦeクラッド含有水を給水鉄注入ポンプ17で加圧して熱交換器32に送りこみ、熱交換器32で加熱した後、給水鉄注入ライン18から給水管35へと送り込むこと、そして逆洗水受けタンク13からＦeクラッド含有水を取り出す際に、逆洗水受けタンク13の上澄み部分からＦeクラッド含有水を取り出すにある。
【００２０】
復水中のＦeクラッド濃度は、図２に示す鉄注入装置の電解槽27中のＦeクラッド濃度に比べ、約10~4倍の濃度であるため、鉄注入装置によって生成されるＦeクラッドよりも十分な酸化が行われており（２価の鉄が少なく）、さらにその粒径も均一で小さい。従って、図３に示すように、逆洗水受けタンク13中のＦeクラッドは従来の電解Ｆeクラッドに比べ粒径が小さく、大きさのばらつきも小さい。また、図４に示すように、Ｆeイオンが十分に酸化された鉄クラッド成分が給水管から炉内へと送り込まれることになるので、実機炉水環境下において、燃料棒表面上でのスピネル型複合酸化物（ＮiＦe2Ｏ4等）の生成率が高くなる。その結果、燃料付着クラッドが化学的に安定な形態にすみやかに変化するので、放射化された付着クラッドからの放射性物質の溶出・剥離が抑制される。また、Ｆeクラッドの粒径が小さく、大きさのばらつきが少ないので、燃料棒に付着する際に均一に付着し、はがれにくい。
【００２１】
〔実施例２〕
図５に示す実施例２は、逆洗水受けタンクを２基設置した例である。本実施例が前記図１に示す実施例１と異なるのは、逆洗水受けタンク13から逆洗水（すなわちＦeクラッド含有水、以下同じ）を給水鉄注入ポンプ17で取り出すのではなく、逆洗水受けタンク13（以下、第１の逆洗水受けタンク13という）に弁38を介装した上澄み液取出し管39で接続された第２の逆洗水受けタンク14を設け、Ｆeクラッド含有水取出し配管37を第２の逆洗水受けタンク14に接続した点である。他の構成は前記図１に示す実施例と同一であるので、説明を省略する。
【００２２】
これに伴い、第２の逆洗水受けタンク14に弁15を介装したサンプリングライン43が接続されている。上澄み液取出し管39の第１の逆洗水受けタンク13内の開口位置は、第１の逆洗水受けタンク13に貯溜された逆洗水の上澄み部分を第２の逆洗水受けタンク14に移送する位置に設定されている。
【００２３】
本実施例の特徴は、第１の逆洗水受けタンク13に貯蔵した逆洗水（すなわちＦeクラッド含有水、以下同じ）の上澄み液のみを、第２の逆洗水受けタンク14に導いて貯蔵し、第２の逆洗水受けタンク14に貯蔵された逆洗水を給水鉄注入ポンプ17で加圧して給水鉄注入ライン18から給水系へと送り込むことにある。
【００２４】
第２の逆洗水受けタンク14に貯蔵される逆洗水は、第１の逆洗水受けタンク13の上層に分散している粒径の小さい均一なＦeクラッドのみを含んでいるので、図６に示すように、給水系に注入される逆洗水中のＦeクラッドはより粒径が小さく、均等な分散状態で注入することが可能である。
【００２５】
〔実施例３〕
図７に逆洗水受けタンクを２基設置した他の例である実施例３を示す。本実施例が前記図５に示す実施例２と異なるのは、逆洗水出口弁20と第１の逆洗水受けタンク13を接続する配管40に弁44を設け、上澄み液取出し管39の代わりに、前記弁44の上流側の配管40と第２の逆洗水受けタンク14を弁41を介して接続する配管42を設けた点、及びＦeクラッド含有水取出し配管37のタンク側端部は、前記実施例１の場合と同様、逆洗水の上澄み部分を取り出す位置に開口させてある点である。サンプリングライン43のタンク側開口位置は、Ｆeクラッド含有水取出し配管37のタンク側端部開口位置とほぼ同レベルとしておくのが望ましい。他の構成は前記実施例２と同じであるので、説明は省略する。
【００２６】
本実施例の特徴は、起動試験時及び再起動時に運用した復水ろ過装置8のフィルタの逆洗水を第１の逆洗水受けタンク13へと流し、通常運転時の逆洗水のみを第２の逆洗水受けタンク14において貯蔵するようにしたところにあり、第２の逆洗水受けタンク14に貯蔵したＦeクラッド含有水を給水鉄注入ポンプ17で加圧して給水鉄注入ライン18から給水系へと送り込む運転方法である。
【００２７】
起動試験時に運用したフィルタの逆洗水中にはＦeクラッド以外の不純物が約５０％程含まれている。図８に示すように、この逆洗水受けタンクを２基設置し、通常運転時の逆洗水のみを給水系に注入する方法を用いることにより、給水系より注入するＦeクラッド含有水中に含まれる不純物の量は大幅に低減させることができ、逆洗水受けタンクを１基のみ設置した場合に比べ、より純度の高いＦeクラッド含有水を給水系に注入することが可能となる。
【００２８】
〔実施例４〕
実施例１〜３とその運転方法において、逆洗水受けタンクにタンク内のＦeクラッド濃度を測定するＦeクラッド濃度測定装置16を設置した実施例４を図９〜１１に示す。本実施例が前記実施例１〜３と異なるのは、サンプリングライン43にＦeクラッド濃度を測定するＦeクラッド濃度測定装置16を設置し、サンプリングライン43の下流端を熱交換器32の下流側の給水鉄注入ライン18に接続するとともに、Ｆeクラッド濃度測定装置16の出力を入力として給水鉄注入ライン18の流量を制御する図示されていない制御手段を設けた点である。他の構成は前記実施例１〜３と同じであるので、説明は省略する。
【００２９】
Ｆeクラッド濃度の測定には、例えば、レーザー光の光散乱等を利用したものを用い、Ｆeクラッド濃度をオンライン測定する。逆洗水受けタンク内のＦeクラッド濃度は、復水フィルタの逆洗条件により異なるので、Ｆeクラッド濃度測定装置16で測定されたＦeクラッド濃度値に対応してＦeクラッド含有水の注入量を制御することにより、より正確な給水Ｆe濃度制御が可能となる。通常運転時の逆洗水受けタンク内のＦeクラッド濃度は500ppm程度であるので、給水Ｆe濃度を最適値の0.5〜1ppb程度にするためには、110万ｋＷクラスの原子力発電プラントの場合、給水（6400t／h）中に10l／h前後の流量で逆洗水受けタンク中の逆洗水を給水系に注入することで、給水鉄制御が可能である。
【００３０】
給水鉄注入ライン18の流量を制御する制御手段としては、給水鉄注入ポンプ17の回転数制御を行う回転数制御手段、弁24の開度を制御する弁開度制御手段が採用可能であり、回転数制御手段と弁開度制御手段の双方を設けるようにしてもよい。
【００３１】
なお、サンプリングライン43の下流端は必ずしも給水鉄注入ライン18に接続する必要は無く、給水鉄注入ポンプ17の吸い込み側に接続してもよい。
【００３２】
〔実施例５〕
図１２〜１４に、図９に示す逆洗水受けタンク13、あるいは図１０，図１１に示す逆洗水受けタンク14に、Ｆe以外の金属イオン又はクラッドを注入する、金属注入装置34を設置した例を示す。本実施例が図９、図１０，図１１に示す実施例４と異なるのは、図９においてＦeクラッド含有水取出し配管37が接続された第１の逆洗水受けタンク13もしくは図１０，図１１においてＦeクラッド含有水取出し配管37が接続された第２の逆洗水受けタンク14に、金属注入ポンプ33及び弁21を介装した配管を介して金属注入装置34が接続されている点である。他の構成は前記実施例４と同じであるので、説明は省略する。
【００３３】
例えば、ＺnやＮi等は、Ｆe酸化物と結合してスピネル型酸化物を生成し易いので、本装置を用いてＺnやＮiを逆洗水受けタンク13あるいは第２の逆洗水受けタンク14内に注入することにより、燃料棒表面での燃料付着クラッドの安定化を促進する効果がある。
【００３４】
また、ＡlもＦe酸化物やＣr酸化物中の3価のＦeやＣrイオンと置換して酸化物を安定化する効果が期待できるので、逆洗水受けタンク内への注入物質として使用できる。
【００３５】
【発明の効果】
本発明の水質制御装置を用いて給水系に注入された鉄クラッドは、従来の鉄注入装置を用いたものに比べ、クラッド粒径が小さく均一で、さらに2価の鉄をほとんど含んでいない。従って、Ｎi、Ｃoが燃料棒表面に複合酸化物として付着した場合、その粒径は小さく2価の鉄も含んでいないため、剥離や溶出によって炉内に溶出してくる割合は減少する。
【図面の簡単な説明】
【図１】本発明を実施例１を示す系統図である。
【図２】従来技術の鉄注入装置の構成を示す概念図である。
【図３】復水フィルタ（ＣＦ）逆洗水に含まれるＦeクラッドと電解Ｆeクラッドの粒径分布を比較して示す概念図である。
【図４】炉水温度条件でのＣＦ逆洗Ｆeクラッドと電解ＦeクラッドからのＮiフェライト生成効率を比較して示すグラフである。
【図５】本発明の実施例２を示す系統図である。
【図６】実施例１及び２の復水クラッド注入系を用いた時の復水フィルタ逆洗水に含まれるＦeクラッドと電解Ｆeクラッドの粒径分布を比較して示す概念図である。
【図７】本発明の実施例３を示す系統図である。
【図８】実施例３の装置を用いた時の逆洗水受けタンク内不純物濃度の低減効果を示すグラフである。
【図９】実施例１の復水Ｆeクラッド注入系に鉄クラッド濃度測定装置を設置した実施例４を示す系統図である。
【図１０】実施例２の復水Ｆeクラッド注入系に鉄クラッド濃度測定装置を設置した実施例４を示す系統図である。
【図１１】実施例３の復水Ｆeクラッド注入系に鉄クラッド濃度測定装置を設置した実施例４を示す系統図である。
【図１２】図９に示す実施例４の復水Ｆeクラッド注入系に金属を注入する装置を設置した実施例５を示す系統図である。
【図１３】図１０に示す実施例４の復水Ｆeクラッド注入系に金属を注入する装置を設置した実施例５を示す系統図である。
【図１４】図１１に示す実施例４の復水Ｆeクラッド注入系に金属を注入する装置を設置した実施例５を示す系統図である。
【符号の説明】
1  原子炉
2  炉内発生蒸気
3  蒸気タービン
4  復水器
5  海水循環系
6  復水配管
7  復水ポンプ
8  復水ろ過装置
9  復水脱塩器
10  復水フィルタ出口弁
10A  マニホールドパイプ
11  復水フィルタ入口弁
12  逆洗用空気供給タンク
13  第１の逆洗水受けタンク
14  第２の逆洗受水けタンク
15  弁
16  Ｆeクラッド濃度測定装置
17  給水鉄注入ポンプ
18  給水鉄注入ライン
19〜24  弁
25  ＣＯ2ガス注入槽
26  配管
27  電解槽
28  配管
29  酸化用タンク
30，31  弁
32  熱交換器
33  金属注入ポンプ
34  金属注入装置
35  給水管
36  逆洗用空気注入管
37  Ｆeクラッド含有水取出し配管
38  弁
39  上澄み液取出し管
40  配管
41  弁
42  配管
43  サンプリングライン
44  弁
【図１】
0003653609.tif 000002
【図２】
0003653609.tif 000003
【図３】
0003653609.tif 000004
【図４】
0003653609.tif 000005
【図５】
0003653609.tif 000006
【図６】
0003653609.tif 000007
【図７】
0003653609.tif 000008
【図８】
0003653609.tif 000009
【図９】
0003653609.tif 000010
【図１０】
0003653609.tif 000011
【図１１】
0003653609.tif 000012
【図１２】
0003653609.tif 000013
【図１３】
0003653609.tif 000014
【図１４】
0003653609.tif 000015